(57)【要約】      （修正有）【課題】同時に寸法計測及び水平・垂直測定を行うことができる水平器付きノギスを提供する。【解決手段】アナログ又はデジタル表示できるノギスであって、副尺上部及び本尺側ジョウ２，１側面に水平器９，１０を設けた。水平器は複数設けられており、これらの水平器は相互に直角方向に配置されている。水平器の外面及び側面にはノギス本体との接着部以外、前部、上部、後部に、確認窓を有する。ジョウの厚みが２〜１０ｍｍである。【選択図】図１
0003186029.tif 000002
【実用新案登録請求の範囲】
【請求項１】
アナログ又はデジタル表示できるノギスであって、副尺上部及び本尺側ジョウ側面に水準器を設けたことを特徴とするノギス。
【請求項２】
前記水平器は複数設けられており、これらの水平器は相互に直角方向に配置されていることを特徴とする請求項１に記載のノギス。
【請求項３】
前記水平器の外面及び側面にはノギス本体との接着部以外、前部、上部、後部に、確認窓を有することを特徴とする請求項１又は請求光２に記載のノギス。
【請求項４】
ジョウの厚みが２〜１０ｍｍであることを特徴とする請求項１〜３のいずれか一項に記載のノギス。
【考案の詳細な説明】
【技術分野】
【０００１】
本考案は、ノギスに水平器を取り付けて加工時に簡単に水平、垂直を出すこのできるノギスに関する。
【背景技術】
【０００２】
ノギス及び水平器についてはすでに公知であり、ノギスについては、最大１０００ｍｍまでの長さのものを外側測定・内側測定・深さ測定・段差測定が出来る測定器であり、１００分の５ｍｍ（ダイヤルノギス・デジタルノギスでは１００分の１ｍｍ）単位まで精密に測定する測定器である。従来は機械的に測定するノギスが使用されていたが、現在ではデジタルノギスがその利便性により普及している。（初期の）ノギス、ダイヤルノギス、デジタルノギスの3つに分類できる。ノギスは、ＪＩＳＢ７５０７に制定されている。なお水平器（水準器・レベルなどとも呼ぶ）については一定の物体の地面に対する水平、垂直を確認する器具。気泡管水平器、レーザー水平器などがある。デジタル式のものもある。土木、建築、測量、精密加工などの分野を中心に広く用いられている。水平器は、ＪＩＳＢ７５１０に制定されている。
【０００３】
しかし、加工中の物品（金属、木材など）の計測や旋盤、フライス盤、ボール盤、万力、バイスなど工作機に装着した加工中の物品などを調整加工するたびに、ノギスと平行器を互いに用いて計測していたため、二つの測定器を用意しなければならないという問題点があった。
【先行技術文献】
【非特許文献】
【０００４】
【非特許文献１】ＪＩＳＢ７５０７  ノギス
【非特許文献２】ＪＩＳＢ７５１０  水平器
【考案の概要】
【考案が解決しようとする課題】
【０００５】
本考案は従来、測定時にノギスと水平器を別々に用いて寸法計測及び水平・垂直測定を行っていたが、本考案の水平器付きノギスは同時に寸法計測及び水平・垂直測定実施できることを目的とする。
【課題を解決するための手段】
【０００６】
本考案は、
（１）  アナログ又はデジタル表示できるノギスであって、副尺上部及び本尺側ジョウ側面に水準器を設けたことを特徴とするノギス。
（２）  水平器は複数設けられており、これらの水平器は相互に直角方向に配置されていることを特徴とする（１）記載のノギス。
（３）  水平器の外面及び側面にはノギス本体との接着部以外、前部、上部、後部に、確認窓を有することを特徴とする（１）（２）記載のノギス。
（４）  ジョウの厚みが２〜１０ｍｍであることを特徴とする（１）記載のノギス。
である。
本考案のノギスは市販のアナログ又はデジタル表示のノギスに少なくとも２個の水平器を取り付けることにより得られる。
【０００７】
ノギスについては一般に販売されている大小さまざまなサイズのものを用いることができる。一般にノギスは外側測定・内側測定・深さ測定・段差測定が出来る測定器であり、１００分の５ｍｍ（ダイヤルノギス・デジタルノギスでは１００分の１ｍｍ）単位まで、加工中の木材などの計測中や旋盤などでの加工中の金属などの外側測定・内側測定・深さ測定・段差測定することに用いられる。このノギスの副尺上部及び本尺側ジョウ側面に水平器を相互に直角方向に設ける。設ける水平器はガラス製又はプラスチック製の管からなるものを用いることができ、内部に水又は非水液体を封入し、メモリ線を設けることで空気部の位置により水平かどうかを判断するものである。ノギス本体と水平器は瞬間接着剤等で水平に密着させて設けるのが好ましい。
なお、水平器を支える枠の外面はノギス本体との接着部以外、前部、上部、後部に、水平器確認窓を有することで、ノギス自体の測定位置が変わっても、前部、上部、後部で水平確認が可能となる。ジョウは厚みが２〜１０ｍｍであることが好ましい。このジョウの厚みが厚い場合には中央部をくりぬいて水平器を埋め込んでもよい。
【０００８】
本考案の水平器付きノギスのノギス本体及び水平器枠の材質は一般的なステンレス、プラスチック樹脂、例えば、ＡＢＳ樹脂、ＰＯＭ樹脂、ポリエチレン樹脂などが好ましい。
使用する一例として、本考案の水平器付きノギスを用いて、旋盤、フライス盤、ボール盤、万力、バイス等の工作機そのもの自体の水平垂直を確認後、その工作機械に加工する物品をチャック又はバイスで固定し加工調整しながら寸法及び水平・垂直を簡単に測定することができる。
また、一度、旋盤、フライス盤、ボール盤、万力、バイス等の工作機より取り外した加工物品を再度工作機に装着し加工調整しながら寸法及び水平、垂直測定ができる為、容易に測定確認することができる。
【考案の効果】
【０００９】
本考案の水平器付きノギスは加工物品を旋盤、フライス盤、ボール盤、万力、バイス等の工作機から取り外さず、外側測定・内側測定・深さ測定・段差測定でき、水平、垂直測定も同時にできる為、測定回数の低減と測定確認を簡単に行うことができる。なお、加工物品を旋盤、フライス盤、ボール盤、万力、バイス等の工作機から取り外し、再加工などで工作機への装着した場合の加工物品の水平、垂直確認も容易に行うことができる。なお、加工調整しながら計測できる為、寸法確認、水平、垂直確認するたびにノギス及び平行器を互いに用いて測定することなく、本考案の水平器付きノギス一つの測定器で済む事である。
【図面の簡単な説明】
【００１０】
【図１】図１は本考案の水平器付きアナログ表示のノギスの斜視図である。
【図２】図２は本考案の水平器付きアナログ表示のノギスのジョウ部に厚みを持たせたタイプの斜視図である
【図３】図３は本考案の水平器付きデジタル表示のノギスの斜視図である。
【図４】図４は本考案の水平器付きノギスをフライス盤のバイスに設置した加工物品を測定するイメージ図である。
【図５】図５は本考案の水平器付きノギスを万力に設置した加工物品を測定するイメージ図である。
【図６】図６は本考案の水平器付きノギスを旋盤のチャックに設置した加工物品を測定するイメージ図である。
【考案を実施するための形態】
【実施例１】
【００１１】
１５ｃｍのアナログ表示のノギスに４ｃｍのステンレス製枠の水平器を副尺の上部に瞬間接着剤で固定した。同様にステンレス枠の水平器を本尺側ジョウ側面に副尺上部に固定した水平器と相互に直角方向となるように瞬間接着剤で固定した。本考案の水平器付きノギスを用いて、旋盤、フライス盤、ボール盤、万力、バイス等の工作機そのもの自体に置いて、水平器窓の気泡を確認して、水平なっていることを確認後、木材加工中や金属加工中（旋盤、フライス盤、ボール盤、万力、バイス等に加工物品を取り付けたまま）でも加工物品を取り外さず、外側測定・内側測定・深さ測定・段差測定しながら水平、垂直測定が出来た。なお、一度、工作機から外した加工物品を再度、工作機に装着し、再加工するときなども、加工調整しながら寸法及び水平、垂直測定ができる為、測定能力及び測定回数の低減と加工時間短縮が向上した。
【符号の説明】
【００１２】
１    本尺側ジョウ（外側測定）（段差測定、主尺と副尺を使用）
２    副尺側ジョウ（外側測定）（段差測定、主尺と副尺を使用）
３    クチバシ（内側測定）（段差測定、主尺と副尺を使用）
４    主尺目盛
５    副尺目盛
６    指かけ
７    止めネジ（測定値の固定）
８    デプスバー（穴の深さ測定）
９    水平器１（副尺側上部）（水平、垂直測定）
１０  水平器２（本尺側ジョウ部）（水平、垂直測定）
１１  デジタル表示板
１２  加工物品（金属棒）
１３  フライス盤バイス
１４  万力
１５  旋盤
【図１】
0003186029.tif 000003
【図２】
0003186029.tif 000004
【図３】
0003186029.tif 000005
【図４】
0003186029.tif 000006
【図５】
0003186029.tif 000007
【図６】
0003186029.tif 000008